(57)【要約】【課題】既存の画像形成装置の排紙方向とは異なる方向に排出する排紙手段を有することによって、排出された用紙を容易に取り出すことができるようにした原稿読取装置を提供する。【解決手段】排紙ロール３２によって排出口１３から排出された用紙は、排紙部１６へ排出されず、受入口８２から排紙部８０に進入し、進入路８４ａを介して反転ロール９０に搬送される。反転ロール９０は、用紙を反転搬送路８４ｂに搬送し、一旦、反転用トレイ９２の上部に用紙の一部が露出された後、用紙の後端手前がかかる時点で反転して、用紙を排出路８４ｃに搬送する。排紙ロール９４は、排出路８４ｃを通過した用紙を、排出口８６を介して排紙トレイ９６へと排出する。【選択図】図４
2009116013.tif 000002
【特許請求の範囲】
【請求項１】
原稿読取装置本体と、
前記原稿読取装置本体を画像形成装置の上部に着脱可能に装着する装着手段と、
前記画像形成装置の排紙口からシートを受け入れて、前記画像形成装置の排紙方向とは異なる方向に排出する排紙手段と
を有する原稿読取装置。
【請求項２】
前記画像形成装置から受け入れたシートの搬送方向を反転させる反転手段
をさらに有する請求項１に記載の原稿読取装置。
【請求項３】
前記反転手段は、外部に露出した反転搬送路を経由させてシートを反転させる
請求項２に記載の原稿読取装置。
【請求項４】
前記画像形成装置の排紙方向は、この画像形成装置のシート搬送路が設けられた側と反対側であり、
前記排紙手段は、前記画像形成装置のシート搬送路が設けられた側にシートを排出する
請求項１から３のいずれかに記載の原稿読取装置。
【請求項５】
画像形成装置本体と、
前記画像形成装置本体の上部に着脱可能に設けられた原稿読取装置と
を有し、
前記原稿読取装置は、
原稿読取装置本体と、
前記原稿読取装置本体を前記画像形成装置本体に着脱可能に装着する装着手段と、
前記画像形成装置本体の排紙口からシートを受け入れて、前記画像形成装置本体の排紙方向とは異なる方向に排出する排紙手段と
を有する
画像形成装置。
【請求項６】
前記原稿読取装置は、
前記画像形成装置から受け入れたシートの搬送方向を反転させる反転手段
をさらに有する
請求項５に記載の画像形成装置。
【発明の詳細な説明】
【技術分野】
【０００１】
本発明は、原稿読取装置および画像形成装置に関する。
【背景技術】
【０００２】
たとえば、特許文献１は、反転給紙手段を設けた用紙反転ユニットを反転排出経路に接続した自動両面画像形成装置を開示する。
また、特許文献２は、シート材をスイッチバックさせて排紙トレイへ導くスイッチバック搬送路と、このスイッチバック搬送路中に配され、シート材の搬送方向を反転させる反転搬送手段とを備えた画像形成装置を開示する。
【０００３】
【特許文献１】特開平６−２５０４６３号公報
【特許文献２】特開２００６−２５６８０７号公報
【発明の開示】
【発明が解決しようとする課題】
【０００４】
しかしながら、特許文献１および２の開示事項においては、原稿読取装置を既存の画像形成装置の上部に取り付ける場合に、排出された用紙を容易に取り出すことができないという問題があった。
本発明は、上述した背景からなされたものであり、既存の画像形成装置の排紙方向とは異なる方向に排出する排紙手段を有することによって、排出された用紙を容易に取り出すことができるようにした原稿読取装置を提供することを目的とする。
【課題を解決するための手段】
【０００５】
上記目的を達成するために、本発明にかかる原稿読取装置は、原稿読取装置本体と、前記原稿読取装置本体を画像形成装置の上部に着脱可能に装着する装着手段と、前記画像形成装置の排紙口からシートを受け入れて、前記画像形成装置の排紙方向とは異なる方向に排出する排紙手段とを有する。
【０００６】
好適には、前記画像形成装置から受け入れたシートの搬送方向を反転させる反転手段をさらに有する。
【０００７】
好適には、前記反転手段は、外部に露出した反転搬送路を経由させてシートを反転させる。
【０００８】
好適には、前記画像形成装置の排紙方向は、この画像形成装置のシート搬送路が設けられた側と反対側であり、前記排紙手段は、前記画像形成装置のシート搬送路が設けられた側にシートを排出する。
【０００９】
また、本発明にかかる画像形成装置は、画像形成装置本体と、前記画像形成装置本体の上部に着脱可能に設けられた原稿読取装置とを有し、前記原稿読取装置は、原稿読取装置本体と、前記原稿読取装置本体を前記画像形成装置本体に着脱可能に装着する装着手段と、前記画像形成装置本体の排紙口からシートを受け入れて、前記画像形成装置本体の排紙方向とは異なる方向に排出する排紙手段とを有する。
【００１０】
好適には、前記原稿読取装置は、前記画像形成装置から受け入れたシートの搬送方向を反転させる反転手段をさらに有する。
【発明の効果】
【００１１】
本発明によれば、既存の画像形成装置の排紙方向とは異なる方向に排出する排紙手段を有することによって、排出された用紙を容易に取り出すことができるようにした原稿読取装置を提供できる。
【発明を実施するための最良の形態】
【００１２】
次に本発明の実施形態について図面に基づいて説明する。
図１には本発明の実施形態に係る画像形成装置１０が示されている。
画像形成装置１０は、画像形成装置本体１２を有し、画像形成装置本体１２内に、給紙装置１４、画像形成部１５、及び定着装置３０が装着されているともに、記録媒体として用いられる用紙の搬送がなされる搬送路１９が形成されている。
また、画像形成装置本体１２には排出口１３が形成され、画像形成装置本体１２の上部には、画像形成がなされた用紙が排出される排紙部１６が設けられている。排紙部１６には、折り畳むことが可能な排紙トレイ１７が設けられている。
また、画像形成装置本体１２の両側面（図１における手前側および向こう側）には、図２を用いて後述する原稿読取装置７０を着脱可能に装着するための接続部６８がそれぞれ設けられている。
【００１３】
画像形成部１５は、像形成ユニットとして用いられる感光体ユニット２６、光書き込み装置５６、及び転写ユニット２８を有していて、用紙に現像剤像を形成するために用いられる。
感光体ユニット２６は画像形成装置本体１２内に着脱可能に装着され、感光体ユニット本体３８を有する。
感光体ユニット本体３８には、例えば４つのサブユニット５０が、例えば感光体ユニット本体３８に対して着脱することができるように設けられている。
【００１４】
サブユニット５０は、それぞれが像保持体として用いられる感光体４０を有し、感光体４０の周囲には、感光体４０を一様に帯電する帯電ロールを備え、帯電手段として用いられる帯電装置４２と、感光体４０に書き込まれた潜像を現像剤（トナー）で現像し、現像手段として用いられる現像装置４４と、現像剤像の転写がなされた後の感光体４０に光を照射して、感光体４０を除電する除電手段として用いられる除電装置４６と、転写がなされた後に感光体４０に残留する現像剤を除去し、現像剤除去手段として用いられるクリーニング装置４８とが、それぞれに設けられている。
【００１５】
４つのサブユニット５０は、重力方向下方であるシート搬送方向上流から、イエロー現像剤像形成用、マゼンタ現像剤像形成用、シアン現像剤像形成用、黒現像剤像形成用であって、感光体４０の表面に、イエロー現像剤像、マゼンタ現像剤像、シアン現像剤像、黒現像剤像をそれぞれ形成する。
【００１６】
光書き込み装置５６は、それぞれがレーザ露光装置からなり、感光体ユニット２６の背面側にあって、それぞれが感光体４０に対応した位置に配置され、一様に帯電された感光体４０に対してレーザを照射して潜像を形成する。
【００１７】
転写ユニット２８は、感光体ユニット２６の前側（図１における右側）に位置し、感光体ユニット２６に対向するように配置されている。転写ユニット２８は、上下方向に並べられた２つの支持ロール５８、５８を有し、２つの支持ロール５８、５８に搬送ベルト６０が掛けられている。２つの支持ロール５８、５８の少なくともいずれか一方が、搬送ベルト６０に駆動を伝達する駆動ロールとして用いられ、この駆動ロールからの駆動伝達を受けて、搬送ベルト６０が回転駆動する。
【００１８】
また、転写ユニット２８は、感光体４０に対して、搬送ベルト６０を挟んで対向するように配置される４個の転写ロール６２を有している。転写ロール６２には、それぞれに転写バイアスが印加され、この転写バイアスによって、感光体４０に形成された現像剤像を用紙へと転写する。
感光体ユニット２６は、画像形成装置本体１２に対して着脱自在に設けられており、画像形成装置本体１２の前側（図１における右側）に設けられた開閉カバー（図示せず）および転写ユニット２８を開くことにより形成される開放部を介して着脱される。
【００１９】
定着装置３０は、加熱ロール３０ａと加圧ロール３０ｂとからなり、加熱ロール３０ａと加圧ロール３０ｂとの間を通過するシートを加熱し加圧することで、シートに現像剤像を定着するようになっている。
【００２０】
給紙装置１４は、用紙収容容器１８を有し、この用紙収容容器１８に用紙が積層されて収納されている。用紙収容容器１８の一端上部には、フィードロール２０が配置されているとともに、フィードロール２０に対向して捌きロール２２が設けられている。用紙収容容器１８の最上位にある用紙がフィードロール２０によりピックアップされ、フィードロール２０と捌きロール２２との協働により用紙が捌かれて搬送される。
また、用紙収容容器１８は、前側（図１における右側）に引き出すことができるようになっており、用紙収容容器１８を前側に引き出すことによって用紙の補充等ができるようになっている。
【００２１】
搬送路１９は、用紙収容容器１８から排紙部１６まで至る用紙の通路であり、搬送路１９に沿って、用紙の搬送方向上流側である重力方向下方側から用紙搬送方向下流側である重力方向上方に向けて順に、フィードロール２０及び捌きロール２２、レジストロール２４、転写ユニット２８、定着装置３０、及び排出装置として用いられる排紙ロール３２が配置されている。
レジストロール２４は、用紙の先端部を一旦停止させた後、感光体ユニット２６で現像剤像の形成がなされるタイミングと合わせて、用紙の下流側への搬送を開始する。
排紙ロール３２は、定着装置３０より現像剤像の定着がなれた用紙を、排出口１３を介して排紙部１６へと排出するように搬送する。
【００２２】
以上のように構成された画像形成装置１０では、感光体４０が、帯電装置４２により一様に帯電され、一様に帯電された感光体４０に光書き込み装置５６により潜像が形成され、この潜像が現像装置４４によって現像剤を用いて可視像化される。感光体４０に形成された現像剤像は、転写ユニット２８の転写ロール６２によって、下方に位置する現像剤から順番に用紙へと転写される。そして、用紙に転写された現像剤像が定着装置３０によって用紙に定着される。
【００２３】
図２〜図３には、本発明の第１の実施形態に係る原稿読取装置７０が示されている。
この原稿読取装置７０は、画像形成装置本体１２の上部に着脱可能に装着されるようになっている。
原稿読取装置７０は、原稿を読み取る原稿読取装置本体７２と、排紙部８０と、これら原稿読取装置本体７２および排紙部８０を画像形成装置本体１２の上部に着脱可能に装着するための支持部７６とを有する。
原稿読取装置本体７２は、たとえばスキャナからなり、原稿読取装置本体７２にセットされた原稿を読み取るようになっている。
また、原稿読取装置７０には、画像形成装置本体１２から原稿読取装置７０の各構成部分に必要な電源を取得し、原稿読取装置７０が読み取った原稿のデータを画像形成装置本体１２に対して送信するためのコネクタ（図示せず）が設けられている。
【００２４】
支持部７６は、原稿読取装置本体７２および排紙部８０を支持している。さらに、支持部７６は、支持部７６の内側が画像形成装置本体１２の少なくとも両方の側面（図１における手前側と向こう側）に接するように形成されている。
また、支持部７６の内側には接続部７８が形成されており、この接続部７８が接続部６８と係合することによって、原稿読取装置７０は画像形成装置本体１２の上部に固定される。
すなわち、原稿読取装置７０を画像形成装置本体１２の上部に装着する場合、支持部７６の内側の空間（図２の矢印Ａで示す）に画像形成装置本体１２が配置されるようになる。
なお、接続部７８および接続部６８は、たとえば、ボルトなどによって形成されるようにしてもよい。
【００２５】
排紙部８０には、画像形成装置本体１２の排出口１３から用紙を受け入れる受入口８２、進入路８４ａ、反転搬送路８４ｂ、排出路８４ｃおよび排出口８６が形成されている。また、排紙部８０には、切換爪８８、反転ロール９０、反転搬送路８４ｂにおいて用紙を案内する反転用トレイ９２、排出ロール９４および排紙トレイ９６が設けられている。
受入口８２は、支持部７６によって、画像形成装置本体１２の排出口１３と対向する位置に配置されるようになっている。
【００２６】
進入路８４ａは、受入口８２と反転ロール９０との間に設けられている。
反転ロール９０は、進入路８４ａを通過した用紙を反転搬送路８４ｂに搬送し、用紙の後端手前がかかる時点で反転して、排出路８４ｃに搬送する。
切換爪８８は、反転ロール９０が反転するタイミングに合わせて、排出路８４ｃを開く側に切り換わる。
排紙ロール９４は、排出口８６の近傍に設けられており、排出路８４ｃを通過した用紙を、排出口８６を介して排紙トレイ９６へと排出するように搬送する。
【００２７】
図４には、原稿読取装置７０が画像形成装置本体１２の上部に装着された状態が示されている。
上述したように、支持部７６の内側に形成された接続部７８と、画像形成装置本体１２の側面に形成された接続部６８とが係合することによって、原稿読取装置７０は画像形成装置本体１２の上部に固定されている。
また、受入口８２は、画像形成装置本体１２の排出口１３と対向する位置に配置されている。
排紙トレイ１７は、原稿読取装置７０が画像形成装置本体１２の上部に装着された場合は不要なので、図４の矢印で示されるように折り畳まれている。あるいは取り外してもよい。
【００２８】
排紙ロール３２によって排出口１３から排出された用紙は、排紙部１６へ排出されず、受入口８２から排紙部８０に進入し、進入路８４ａを介して反転ロール９０に搬送される。
反転ロール９０は、用紙を反転搬送路８４ｂに搬送し、一旦、反転用トレイ９２の上部に用紙の一部が露出された後、用紙の後端が切換爪８８を抜けた時点で反転して、用紙を排出路８４ｃに搬送する。
排紙ロール９４は、排出路８４ｃを通過した用紙を、排出口８６を介して排紙トレイ９６へと排出する。
また、切換爪８８は、反転ロール９０が反転するタイミングに合わせて、排出路８４ｃを開く側に切り換わり、用紙が排紙ロール９４によって排出されると、進入路８４ａを開く側に切り換わる。
用紙の反転タイミングは、排紙部８０内に、進入路８４ａに設けられた用紙後端検知センサー（図示せず）が、用紙の後端を検知してから用紙の後端が切換爪８８を抜けるまでの距離用紙を搬送してのち、反転するように制御するので、画像形成装置本体１２と排紙部８０とが通信をする必要はなく、画像形成装置本体１２には通信手段が不要である。
また画像形成装置本体１２が通常の用紙間距離で用紙を排出した場合、排紙部８０内で、反転してきた先行用紙と排出されてくる後行用紙とが、反転ロール９０ですれ違うことになるが、反転ロール９０のニップを開放する機構（不図示）を備えれば、反転ロール９０で用紙のすれ違いを許容することができ、画像形成装置本体１２には排紙部８０が取り付いたときに用紙間距離を広げるなどの特別な制御は不要となる。
【００２９】
このようにして、画像形成装置本体１２から排出された用紙が、原稿読取装置７０の排紙部８０によって、手前側（図４における右側）の排紙トレイ９６へ排出されるようになる。
また、排紙トレイ９６および転写ユニット２８がともに前側（図４における右側）に配置され、さらに、用紙収容容器１８についても前側に引き出すようになっているので、用紙の補充、印刷された用紙の取り出し、および、ジャムの処理等を、全て、装置の前側で行うことが可能である。
また、反転ロール９０および反転搬送路８４ｂによって用紙が反転されるので、排紙トレイ９６に排出される用紙はフェイスダウンとなり、したがって、用紙のページ順が狂わないようになる。
さらに、反転ロール９０および反転搬送路８４ｂを原稿読取装置７０に設けたので、画像形成装置１０に反転機能を設ける必要はない。
【００３０】
さらに、背面（図４における左側）に突出した排紙トレイ１７が不要となるので、画像形成装置１０を壁（矢印Ｂで示す）に近づけて設置できる。
また、反転用トレイ９２を設けたことにより、反転搬送路８４ｂの配置スペースを節約することができる。
ただし、反転搬送路８４ｂは、反転用トレイ９２などによって形成されなくても、原稿読取装置７０の下部に設けられるようにしてもよい。
【００３１】
なお、反転ロール９０などの反転手段はなくてもよい。
図５には、本発明の第２の実施形態に係る原稿読取装置１００が示されている。
以下、前述した構成部分と実質的に同一のものには、同一の符号が付してある。
原稿読取装置１００は、原稿読取装置本体７２と、排紙部１０２と、支持部７６とを有する。
【００３２】
排紙部１０２は、受入口８２、進入路８４ａ、排出路８４ｃおよび排出口８６が形成されている。また、排紙部１０２には、搬送ロール１０４、排出ロール９４および排紙トレイ９６が設けられている。
排紙ロール３２によって排出口１３から排出された用紙は、排紙部１６へ排出されず、受入口８２から排紙部１０２に進入して、進入路８４ａを介して搬送ロール１０４に搬送され、搬送ロール１０２は、用紙を排出路８４ｃに搬送する。
排紙ロール９４は、排出路８４ｃを通過した用紙を、排出口８６を介して排紙トレイ９６へと排出する。
【００３３】
図６には、本発明の第３の実施形態に係る原稿読取装置１１０が示されている。
原稿読取装置１１０は、原稿読取装置本体７２と、排紙部１１２と、支持部７６とを有する。
排紙部１１２には、受入口８２、進入路８４ａおよび排出口８６が形成されている。また、排紙部１１２には、排出ロール９４および排紙トレイ１１４が設けられている。排紙トレイ１１４は、原稿読取装置本体７２の背面側（図６における左側）に設けられている。
【００３４】
排紙ロール３２によって排出口１３から排出された用紙は、排紙部１６へ排出されず、受入口８２から排紙部１０２に進入し、進入路８４ａを介して排紙ロール９４に搬送される。
排紙ロール９４は、搬送された用紙を、排出口８６を介して排紙トレイ１１４へと排出する。
【００３５】
排紙トレイ１１４は、原稿読取装置本体７２の背面側（図６における左側）に設けられているが、ユーザは、画像形成装置１０の手前（図６における右側）の位置から、用紙を原稿読取装置本体７２の上側を越して受け取ることができる。
また、排紙トレイ１１４に排出される用紙はフェイスダウンとなるので、用紙のページ順が狂わないようになっている。
【産業上の利用可能性】
【００３６】
本発明は、原稿読取装置および画像形成装置などに利用可能である。
【図面の簡単な説明】
【００３７】
【図１】本発明の実施形態にかかる画像形成装置の概略構成を示す側面図である。
【図２】本発明の第１の実施形態に係る原稿読取装置を示す斜視図である。
【図３】本発明の第１の実施形態に係る原稿読取装置を示す側面図である。
【図４】本発明の第１の実施形態に係る原稿読取装置が画像形成装置本体の上部に装着された状態を示す側面図である。
【図５】本発明の第２の実施形態に係る原稿読取装置が画像形成装置本体の上部に装着された状態を示す側面図である。
【図６】本発明の第２の実施形態に係る原稿読取装置が画像形成装置本体の上部に装着された状態を示す側面図である。
【符号の説明】
【００３８】
１０    画像形成装置
１２    画像形成装置本体
１３    排出口
１５    画像形成部
３０    定着装置
３２    排紙ロール
７０    原稿読取装置
７２    原稿読取装置本体
８０    排紙部
７６    支持部
８２    受入口
８４ａ  進入路
８４ｂ  反転搬送路
８４ｃ  排出路
８６    排出口
８８    切換爪
９０    反転ロール
９２    反転用トレイ
９４    排出ロール
９６    排紙トレイ
１００  原稿読取装置
１０２  排紙部
１１０  原稿読取装置
１１２  排紙部
１１４  排紙トレイ
【図１】
2009116013.tif 000003
【図２】
2009116013.tif 000004
【図３】
2009116013.tif 000005
【図４】
2009116013.tif 000006
【図５】
2009116013.tif 000007
【図６】
2009116013.tif 000008